(57)【特許請求の範囲】
【請求項１】
洗浄液ないし濯ぎ水の容器となる外胴(1)と、この外胴内で水平方向の中心軸まわりに回転する内胴(5)とを備えたマットレス洗浄機において、内胴(5)が断面正方形ないし矩形の四角筒状に形成され、当該内胴(5)はその回転中心において当該内胴の一方の壁面と平行な隔壁(11)により２室(12,13)に区画されており、当該２室の各室は、複数枚のスプリングマットレス(19)を、内胴(5)内で転動することなくかつ面直角方向に相互に遊動可能な遊隙を内胴との間に残した状態で、積み重ねて収容することができる内法寸法を備えていることを特徴とする、マットレス洗浄機。
【請求項２】
円筒形の外胴(1)を備え、隔壁(11)により区画された内胴(5)のそれぞれの室(12,13)は、その側壁(17)の一箇所であって内胴(5)の回転中心に対して対称な位置に、内胴(5)の軸方向全幅の洗濯物装脱用の開口(16)を備えており、外胴(1)はその側面一箇所に内胴(5)の前記開口(16)と連通する洗濯物の出入りのための出入り口(4)を備え、内胴(5)の２室(12,13)に各別に設けられている前記開口(16)のそれぞれがこの出入り口(4)と一致する位置で内胴(5)を停止させる停止位置決め手段(22,24)を備えている、請求項１記載のマットレス洗浄機。
【請求項３】
外胴(1)の外側に混合容器(35)が設けられており、洗剤供給配管(28)および水ないし温水配管(36,37)が上記混合容器(35)に接続され、混合容器(35)と外胴(1)とが注水管(29)で接続されている、請求項１または２記載のマットレス洗浄機。
【発明の詳細な説明】
【０００１】
【産業上の利用分野】
この発明は、業務用の洗濯機に関するもので、特に布団やマットレス等の寝具を洗濯するマットレス洗浄機に関するものである。
【０００２】
【従来の技術】
洗剤液や濯ぎ水の容器となる外胴に、洗濯物の容器となる内胴を水平軸まわりに回転自在に装架し、この内胴を一方向または正逆両方向に回転させることにより、内胴内で洗濯物を転動させながら、各種の衣類やシーツ、マットレスなどの洗濯物を洗濯する業務用洗濯機は公知である。
【０００３】
ホテルや病院等においては、ベッドのマットレスを洗濯したいという要望があり、特に病院ではこの要望が強い。従来これらのマットレスの洗濯は人手で行うか、あるいは上記のような業務用洗濯機を用いて行っていたのであるが、人手で行うには多大な労力を必要とする。
【０００４】
マットレスには全体が繊維質のもので製作されている、いわゆるパラケア系のマットレスと、金属製のコイルスプリングを内蔵しているスプリングマットレスとがあるが、上記従来構造の業務用洗濯機では、スプリングマットレスを洗濯することができなかった。すなわち従来の洗濯機では、洗濯物が内胴内で転動しながら洗濯されるのであり、スプリングマットレスは剛性が高くて撓みにくくかつ重量もあるため、従来構造の洗濯機で洗濯するとマットレスの周縁、特に角部分が損傷して再使用できなくなるという問題があり、スプリングマットレスを従来装置で洗濯しようとするときは、マットレスを分解して洗濯後再縫製するという手間が必要であった。
【０００５】
一方、スプリングマットレスの洗浄が可能な装置として、特開平５ー１１１５９２号公報に記載されたものがある。この装置は、円筒状の外胴１と、この外胴内に水平軸回りに回転自在に装架された内胴５とを備え、内胴５は一辺を大略マットレス３１の幅寸法とした正多角筒であり、各辺にマットレス３１を一枚ずつ収容する保持部３２を設けると共に内胴内に水平軸と同軸の散水パイプ３３を装架したものである。
【０００６】
この公報記載のマットレス洗浄機では、洗濯しようとするマットレスは内胴の各辺に沿うように設けた保持部に１枚宛装填され、内胴の回転により外胴内の洗剤液に繰り返し浸漬され、散水パイプから散水されるすすぎ水が内胴の回転に伴う遠心力により内胴の周壁に沿うように位置するマットレスを通過してすすぎが行われる。
【０００７】
病院等で使用されているベッドのうちの約二分の一はスプリングマットレスを用いたものであり、前記公報記載の装置は人手不足が進む中でスプリングマットレスを手数をかけないで洗濯できるという特徴がある。
【０００８】
また従来のマットレス洗浄機では、通常の洗濯機と同様に、洗剤Ｓを上方ないし側方から外胴１内に投入し、外胴１に連結した注水管２９から水Ｃないし温水Ｈを供給して、外胴内で洗剤と水ないし温水を混合して洗剤液を調整する構造となっている。
【０００９】
【発明が解決しようとする課題】
しかし上記従来のマットレス洗浄機は、マットレスを正多角筒の各辺に１枚宛装填して洗濯するものであるから、同時に洗濯するマットレスの数に等しい数の辺を備えた内胴を用いる必要があって、一度に洗濯するマットレスの数を増やそうとすると装置が大型になるという問題がある。また散水パイプからのすすぎ水は遠心力によりマットレス内を通過するのですすぎが効率良く行われる長所があるが、内胴の辺に沿うように装填されたマットレスは内胴が回転したときに外胴内の洗剤液を切るように通過し、洗剤液があまり攪拌されず、また内胴内でのマットレスの転動も生じないため、洗浄効率をあまり高くできない。
【００１０】
またマットレスの洗浄には、通常の衣服の洗濯に比べて強い洗剤を使うので、洗剤と水をできるだけ早く均一に混合したいという要求がある。
【００１１】
この発明は、小型の装置で多数枚のマットレスを一度に洗濯することができ、洗浄効率がよく、装置内へのマットレスの装脱も容易なマットレス洗浄機を得ることを課題としている。
【００１２】
【課題を解決するための手段】
この発明のマットレス洗浄機は、内胴５を正方形ないし矩形の四角筒状とし、この正方形ないし矩形の中心と一致する内胴５の回転中心において、内胴５をその四角筒の一方の壁面と平行な隔壁１１で２室に区画し、区画した各室１２、１３を複数枚のマットレス１９が、内胴５内で転動することなくかつ面直角方向に相互に遊動可能な遊隙を内胴５との間に残した状態で、内胴の半径方向に積み重ねて収容できる大きさとしたものである。マットレス１９を内胴５に装脱するための開口１６は、内胴５の側壁部に内胴５の回転軸方向の幅一杯の幅で設け、マットレスを折り曲げないで装脱できる構造とする。
【００１３】
請求項２にかかるマットレス洗浄機は、隔壁１１により区画されたそれぞれの室１２、１３に、その側壁１７の一箇所であって内胴５の回転中心に対して対称な位置に、内胴５の軸方向全幅のマットレス装脱用の開口１６を設け、外胴１にはその側面一箇所に内胴５の前記開口１６に連結するマットレスの出入りのための出入り口４を設け、内胴５の複数の室１２、１３毎に設けられている前記開口１６のそれぞれが外胴の出入り口４と一致する位置で内胴５を停止させる停止位置決め手段２２、２４を設けたものである。
【００１４】
さらに好ましくは、外胴１の外側に混合容器３５を設け、洗剤供給配管２８および水ないし温水配管３６、３７をこの混合容器３５に接続し、混合容器３５と外胴１とを注水管２９で接続する構造が採用される。
【００１５】
【作用】
本発明の洗浄機は、四角筒状の内胴５に設けた２室１２、１３にそれぞれ同数の複数枚のマットレスを積み重ねて収容し、内胴５を回転させて収容したマットレスの洗浄を行う。マットレスを収容する２室１２、１３は、内胴の回転中心における隔壁１１で区画されているので、多量（偶数枚）のマットレスを内胴５に回転バランス良く収容することができる。また複数のマットレスが積み重ねた状態で収容されるので、小型の装置で多数枚のマットレスを同時に洗濯することができる。
【００１６】
外胴１内には内胴の回転中心６まで達しない深さで洗剤液ないしすすぎ水１８が注入される。洗濯されるマットレスは、複数枚のものが内胴の半径方向に積み重なった状態で収容されているので、内胴が回転したときにマットレスの積み重なった側辺が面となって作用して外胴内の洗剤液をかき上げ、それが流下するときにマットレス内を通過するので、洗浄効率を高くできる。外胴１を円筒形とすることにより、内胴５が回転したときの上記洗剤液のかき上げ作用がより良好に行われる。
【００１７】
また各室に積重状態で収容されたマットレスは内胴５内で面直角方向に若干遊動することが可能で、内胴５の回転に伴って自重により上下して、隣接するマットレス相互の間の隙間が開いたり閉じたりする動きも起こり、そのときマットレス相互の隙間に流入した洗浄液をマットレス内へと押し込みあるいは引き出すので、マットレス内への洗剤液の通過が助長され、洗浄効率がより高められる。
【００１８】
この発明のマットレス洗浄機の内胴５は、軸方向に細長いものとなるため、長手両端で軸支する構造とするのが合理的であり、隔壁１１は内胴５の回転中心を通る長手方向に設けられるため、強度部材としても機能し、十分な強度を有する内胴を容易に製作できる。
【００１９】
請求項２記載の発明では、隔壁１１で区画された各室１２、１３が上方に回動した位置で内胴５を停止させて、マットレス１９の出し入れを行うことができ、従ってマットレス１９を出し入れするための外胴の出入り口４を洗剤液ないし濯ぎ水１８の水位より高い位置に設けることができるとともに、マットレス１９が洗剤液ないし濯ぎ水１８に漬かっていない状態で出し入れすることができるから、洗浄機へのマットレスの装脱作業が容易であり、マットレス１９の出し入れ時に若干の水切り作用も期待できる。
【００２０】
また混合容器２５を設けて洗剤供給配管２８および水ないし温水配管３６、３７をこの混合容器３５に接続した装置では、洗剤Ｓを混合容器３５に投入した後、水ないし温水配管３６、３７から給水することによって、洗剤液を外胴１に供給する。この構造によれは、水Ｃないし温水Ｈが混合容器３５に供給されたとき、混合容器３５内で水Ｃないし温水Ｈと洗剤Ｓとが混合したあと外胴１に供給されるから、より均一な濃度の洗剤液を供給することができ、洗浄力の強い洗剤を用いてもマットレスを傷めることがなく、また洗剤の混合が速やかに行われるので、洗浄効率もより高くなる。
【００２１】
【実施例】
図１ないし図３はこの発明の実施例を示したものである。外胴１は円筒状で、その側壁の一部の中心より上方部分に上辺２を枢着した開閉自在なカバー３を有する出入り口４が設けられている。内胴５は断面が正方形に近い矩形の四角筒状で、その長手中心軸の両端に回転中心となる支軸６が突設されており、この支軸６が外胴１と実質上一体のフレーム７に回転自在に支持されている。支軸６の一端には図２に破線で示すようにプーリ８が固着され、同様に破線で示すベルト９を介してモータ１０により回転駆動される。
【００２２】
内胴５の中心には、内胴の側壁面と平行な隔壁１１が設けられている。内胴５はこの隔壁１１により二つの室１２、１３に区画されており、各室１２、１３にはその側壁の一部に上辺１４を枢着した開閉自在とした扉１５を有する開口１６が形成されている。内胴５の側壁１７および扉１５は、パンチングメタル製で、外胴１内の洗剤液ないし濯ぎ水１８が通過可能である。扉１５および開口１６は隔壁１１で区画された室１２、１３のそれぞれに、内胴５の長手中心軸に対して対称な位置に配置して設けられている。
【００２３】
スプリングマットレス１９は、内胴５の開口１６を外胴１の出入り口４の位置に合わせた状態で、カバー３および扉１５を開き、内胴５内へと横から差し込んで積み重ねるように収容され、また横から引き出すようにして取り出される。内胴５の長手中心軸直角方向の幅（開口１６から見た奥行き）は、マットレスの横幅に見合った幅とし、内胴５の軸方向幅はマットレスの長手幅に見合った長さとしてある。従ってマットレス１９は、折り曲げることなくそのままの状態で内胴の室１２、１３内に積み重ねた状態で収容できる。図１で下方となっている室１３へのマットレス１９の装脱は、内胴５を図で１８０度回動した状態で前記と同様にして行われる。パラケア系のマットレスや布団もそのままの状態で室１２、１３に積み重ねた状態で収納する。各種の衣類やシーツは従来のように収納すればよい。
【００２４】
マットレスの装脱時の内胴５の停止位置決めを行うために、内胴の支軸６の一端には、図３に示すように停止位置決め手段２０が設けられている。図の構造は支軸６に固定した円板２１の切欠２２をセンサ２３で検出して、内胴５の停止位置を検出するとともに、当該停止位置で切欠２２に楔部材２４を嵌合することにより、内胴５の停止位置を保持するようにしたものである。すなわち円板２１には１８０度対向する位置に切欠２２が設けられており、内胴の開口１６が外胴の出入り口４と一致したときに、切欠２２が回動する位置に、この切欠２２を検出するセンサ２３が配置されている。またセンサ２３の配置位置と反対の側には、支点ピン２５まわりに揺動するレバー２６が設けられて、このレバー２６に切欠２２の一方がセンサ２３で検出される位置にきたときに、他方の切欠に嵌合される楔部材２４が一体に設けられている。レバー２６にはこれを揺動させるシリンダ２７が連結されている。
【００２５】
内胴５を停止させるときは、予めモータ１０を低速回転に切り換え、センサ２３が切欠２２を検知したときにモータ１０を停止させる。そしてシリンダ２７によりレバー２６を円板２１側に揺動させ、楔部材２４をセンサ２３と反対の位置に回動している切欠２２に嵌合して、内胴５の角度を正確に位置決めするとともに、内胴５を機械的にロックしてマットレスの装脱作業中の内胴５の回転を固定する。
【００２６】
外胴１の外側には、混合容器３５が配置されている。この混合容器３５には洗剤供給配管２８と水配管３６と温水配管３７とが接続されており、混合容器３５と外胴１の底部とが注水管２９で接続されている。外胴１には、さらに必要に応じて、図示してない液面計や溢流口が設けられる。洗剤Ｓは、洗剤供給配管２８から混合容器３５に投入され、水配管３６および温水配管３７から混合容器３５に水Ｃないし温水Ｈが注水されたとき、洗剤と水ないし温水とが混合容器３５内で混合し、得られた洗剤液が注水管２９を通って外胴１に注入される。
【００２７】
洗剤液や濯ぎ水１８は内胴５の支軸６まで達しない高さで外胴１内に注入される。その状態でマットレス１９を収容した内胴５が回転すると、内胴５の壁面およびマットレス１９自体により、洗剤液ないし濯ぎ水１８が撹拌されかつかき上げられて、かき上げられた洗剤液ないし濯ぎ水１８がマットレス１９内を通って流下することにより洗濯作用が行われ、また内胴５が１８０度回転する毎に積み重ねて収容されているマットレス１９が内胴との間の遊隙によりその面直角方向に往復動し、マットレス相互の間の洗剤液や濯ぎ水をマットレス１９内から吸引したり押し込んだりする。内胴５内のマットレス１９は、このような内胴５の回転により生ずる洗剤液や濯ぎ水１８のマットレス１９内への流動により洗濯が行われ、マットレス１９が内胴５内で転動することがなく、マットレス１９はその本来の形状を保ったまま洗濯されるので、洗濯中におけるマットレスの損傷を防止できる。
【００２８】
【発明の効果】
以上説明したこの発明によれば、スプリングマットレスの洗濯が可能であるとともに、多数のマットレスを一度に洗濯できる小型の装置を提供できる。また外胴内の洗剤液が内胴内に一定の姿勢で保持されているマットレス内を多量に通過し、したがって多数枚のマットレスの洗濯を効率よく行うことができる。更に多数枚のマットレスは２室に積み重ねて装填されるため、装置へのマットレスの装脱作業も容易になる。
【００２９】
また洗剤と水ないし温水とを混合する混合容器を設けた構成によれば、外胴に均一な洗剤液を速やかに供給して洗浄効率を高くできるとともに、高濃度の洗剤液でマットレスを傷める心配もないという効果がある。
【図面の簡単な説明】
【図１】実施例を模式的に示す断面図
【図２】実施例の模式的な斜視図
【図３】内胴の停止位置決め手段の説明図
【図４】従来のマットレス洗浄装置
【符号の説明】
１  外胴
４  出入り口
５  内胴
11  隔壁
12,13   室
16  開口
17  側壁
19  マットレス
22,24   停止手段
28  洗剤供給配管
29  注水管
35  混合容器
36  水配管
37  温水配管
【図１】
0003734288.tif 000002
【図２】
0003734288.tif 000003
【図３】
0003734288.tif 000004
【図４】
0003734288.tif 000005